(57)【要約】【課題】  要介護者が不安感を抱くことなく安全に要介護者の寝返りや排便動作を助ける。【解決手段】  発明に係る介護用ベッド１は、要介護者Ｐの臀部を支持する臀受け部６と、前記臀部より上半身部分を支持する上半身受け部７と、前記臀部より下半身部分を支持する下半身受け部８と、を有するマット体２と、上半身受け部７の足元側部分を支点に上半身受け部７を回動させる背上げ装置と、上半身受け部７の左側部分と右側部分のいずれか一方側を上昇させて上半身受け部７を凹状に湾曲させる寝返り装置と、を備えていることを特徴とする。【選択図】図１
2015213544.tif 000002
【特許請求の範囲】
【請求項１】
要介護者の臀部を支持する臀受け部と、前記臀部より上半身部分を支持する上半身受け部と、前記臀部より下半身部分を支持する下半身受け部と、を有するマット体と、
前記上半身受け部の足元側部分を支点に該上半身受け部を回動させる背上げ装置と、
前記上半身受け部の左側部分と右側部分のいずれか一方側を上昇させて該上半身受け部を凹状に湾曲させる寝返り装置と、
を備えていることを特徴とする介護用ベッド。
【請求項２】
前記寝返り装置は、前記上半身受け部が水平姿勢に維持されている時にのみ、前記上半身受け部の左側部分又は右側部分の上昇動作が可能なように設けられていることを特徴とする請求項１に記載の介護用ベッド。
【請求項３】
前記寝返り装置は、前記上半身受け部の左右両側部分に沿ってそれぞれ設けられる枠体と、該枠体に対して頭部側及び足元側にスライド可能に設けられる可動部材と、前記枠体に対して下方から当接可能に設けられる押上げ部材と、を備え、頭部側と足元側のうちのいずれか一方側に前記可動部材をスライドさせると、該可動部材が前記枠体に係合すると共に、前記背上げ装置が前記寝返り装置から切り離されて、該背上げ装置による前記上半身受け部の回動動作が許容される一方、頭部側と足元側のうちのいずれか他方側に前記可動部材をスライドさせると、該可動部材が前記押上げ部材に係合し、前記寝返り装置による前記上半身受け部の左側部分又は右側部分の上昇動作が許容されることを特徴とする請求項２に記載の介護用ベッド。
【請求項４】
前記臀受け部は、前記寝返り装置による前記上半身受け部の左側部分又は右側部分の上昇動作に伴い、該上昇した左右いずれかの方向にスライドするように設けられていることを特徴とする請求項１〜３のいずれか１の請求項に記載の介護用ベッド。
【請求項５】
前記背上げ装置は、前記上半身受け部を回動させる際に、該上半身受け部の左右両側部分を上昇させて該上半身受け部を凹状に湾曲させることを特徴とする請求項１〜４のいずれか１の請求項に記載の介護用ベッド。
【請求項６】
前記臀受け部が下方に収納されることにより形成される開口部に移動可能な便器装置を備え、
前記下半身受け部は、
頭部側中央において上昇可能に設けられ、前記要介護者の大腿部を支持する大腿受け部と、
該大腿受け部の左右両側にそれぞれ隣接して設けられ、各左右外側部分を支点に左右外側に回転可能に設けられる第１の布団持上げ部と、
を備え、該第１の布団持上げ部が左右外側に回転した後、前記大腿受け部が上昇するように構成されていることを特徴とする請求項１〜５のいずれか１の請求項に記載の介護用ベッド。
【請求項７】
前記大腿受け部は左右に分割可能に設けられ、前記大腿受け部を左右に離間又は近接する方向にスライドさせる左右スライド装置を備え、大腿部を持ち上げる際、前記左右スライド装置が前記各大腿受け部を互いに左右に離間する方向にスライドさせることを特徴とする請求項６に記載の介護用ベッド。
【請求項８】
前記下半身受け部の左右外周部及び足元側外周部に収容され、前記下半身受け部の左右外周部の頭部側支点を中心に頭部側上方に回転可能に設けられる第２の布団持上げ部を備えていることを特徴とする請求項１〜７のいずれか１の請求項に記載の介護用ベッド。
【請求項９】
前記マット体の左右外側には該マット体より高い隆起部が形成されており、少なくとも左右いずれか一方の該隆起部は着脱可能に設けられていることを特徴とする請求項１〜８のいずれか１の請求項に記載の介護用ベッド。
【請求項１０】
要介護者を吊り上げ移動させるための要介護者吊り上げ移動装置を備え、該要介護者吊り上げ移動装置は、前記ベッド枠体に固定される支柱と、支柱に左右側方及び上下に回転可能に支持されるアームと、該アームの先端に取り付けられる吊り上げ具と、該吊り上げ具に着脱自在に取り付けられ該吊り上げ具を介して前記アームに吊り上げられる要介護者保持具とを備えていることを特徴とする請求項１〜９のいずれか１の請求項に記載の介護用ベッド。
【発明の詳細な説明】
【技術分野】
【０００１】
本発明は、要介護者のための介護用ベッドに関するものである。
【背景技術】
【０００２】
従来、ベッドに寝たきりの身体障害者や老人等の要介護者の介護を行う際には、看護士等の介護者に多大な労力の負担を掛けている。特に、自力で寝返りを打つことができない要介護者に対しては、体圧の最もかかる腰から尻の当たりを浮かせて床ずれを防止する必要があり、介護者の負担が大きかった。
【０００３】
そこで、従来、ベッド基台を左右に傾斜させることで要介護者の寝返りを助けるための
寝返り支援装置を備えた介護用ベッド装置や、或いは、ベッドに寝ている要介護者がスイッチ操作を行うことにより要介護者の臀部に対応する位置に便器がセットされる介護用ベッドなどが提案されている（例えば、特許文献１又は２参照）。
【先行技術文献】
【特許文献】
【０００４】
【特許文献１】特開２００９−８２３８８号公報
【特許文献２】特開２００１−２１２１８６号公報
【発明の概要】
【発明が解決しようとする課題】
【０００５】
しかしながら、上記した特許文献１に記載の介護用ベッド装置では、寝返り支援装置がベッド基台を左右に傾斜させることにより要介護者の寝返りを助けるようになっているため、ベッド基台の傾斜時における要介護者の不安感が大きいという問題や、介護ベッドとしての安全性を向上させることが難しいという問題が生じている。
【０００６】
また、上記した特許文献２に記載の介護用ベッドでは、要介護者の寝返りを助ける機能を備えていないため、要介護者を寝返りさせる時の介護者の負担が大きいという問題がある。また、要介護者が排便時に排便し易い姿勢を取ることができないため、要介護者が容易に排便をすることができないといった問題や、排便時の姿勢がつらいといった問題もある。さらに、介護者が要介護者の腸内洗浄を行う際、マットの上に載って無理な姿勢を取らなければならないため、介護者が腸内洗浄作業を行い難いといった問題や、腸内洗浄作業時にマット等を汚すおそれがあるといった問題などもあった。
【０００７】
本発明は、上記した課題を解決すべくなされたものであり、要介護者が不安感を抱くことなく安全に要介護者の寝返りや排便動作を助けることができると共に、要介護者が容易且つ楽な姿勢で排便を行うことができ、介護者が腸内洗浄作業を容易に行うことができ、腸内洗浄作業時にマット等を汚すおそれのない介護用ベッドを提供することを目的とするものである。
【課題を解決するための手段】
【０００８】
上記した目的を達成するため、本発明に係る介護用ベッドは、要介護者の臀部を支持する臀受け部と、前記臀部より上半身部分を支持する上半身受け部と、前記臀部より下半身部分を支持する下半身受け部と、を有するマット体と、前記上半身受け部の足元側部分を支点に該上半身受け部を回動させる背上げ装置と、前記上半身受け部の左側部分と右側部分のいずれか一方側を上昇させて該上半身受け部を凹状に湾曲させる寝返り装置と、を備えていることを特徴とする。
【０００９】
また、本発明に係る介護用ベッドにおいて、前記寝返り装置は、前記上半身受け部が水平姿勢に維持されている時にのみ、前記上半身受け部の左側部分又は右側部分の上昇動作が可能なように設けられることを特徴としてもよい。
【００１０】
また、本発明に係る介護用ベッドにおいて、前記寝返り装置は、前記上半身受け部の左右両側部分に沿ってそれぞれ設けられる枠体と、該枠体に対して頭部側及び足元側にスライド可能に設けられる可動部材と、前記枠体に対して下方から当接可能に設けられる押上げ部材と、を備え、頭部側と足元側のうちのいずれか一方側に前記可動部材をスライドさせると、該可動部材が前記枠体に係合すると共に、前記背上げ装置が前記寝返り装置から切り離されて、該背上げ装置による前記上半身受け部の回動動作が許容される一方、頭部側と足元側のうちのいずれか他方側に前記可動部材をスライドさせると、該可動部材が前記押上げ部材に係合し、前記寝返り装置による前記上半身受け部の左側部分又は右側部分の上昇動作が許容されることを特徴としてもよい。
【００１１】
また、本発明に係る介護用ベッドにおいて、前記臀受け部は、前記寝返り装置による前記上半身受け部の左側部分又は右側部分の上昇動作に伴い、該上昇した左右いずれかの方向にスライドするように設けられていることを特徴としてもよい。
【００１２】
また、本発明に係る介護用ベッドにおいて、前記背上げ装置は、前記上半身受け部を回動させる際に、該上半身受け部の左右両側部分を上昇させて該上半身受け部を凹状に湾曲させることを特徴としてもよい。
【００１３】
また、本発明に係る介護用ベッドは、前記臀受け部が下方に収納されることにより形成される開口部に移動可能な便器装置を備え、前記下半身受け部は、頭部側中央において上昇可能に設けられ、前記要介護者の大腿部を支持する大腿受け部と、該大腿受け部の左右両側にそれぞれ隣接して設けられ、各左右外側部分を支点に左右外側に回転可能に設けられる第１の布団持上げ部と、を備え、該第１の布団持上げ部が左右外側に回転した後、前記大腿受け部が上昇するように構成されていることを特徴としてもよい。
【００１４】
また、本発明に係る介護用ベッドにおいて、前記大腿受け部は左右に分割可能に設けられ、前記大腿受け部を左右に離間又は近接する方向にスライドさせる左右スライド装置を備え、大腿部を持ち上げる際、前記左右スライド装置が前記各大腿受け部を互いに左右に離間する方向にスライドさせることを特徴としてもよい。
【００１５】
また、本発明に係る介護用ベッドは、前記下半身受け部の左右外周部及び足元側外周部に収容され、前記下半身受け部の左右外周部の頭部側支点を中心に頭部側上方に回転可能に設けられる第２の布団持上げ部を備えていることを特徴としてもよい。
【００１６】
また、本発明に係る介護用ベッドは、前記マット体の左右外側には該マット体より高い隆起部が形成されており、少なくとも左右いずれか一方の該隆起部は着脱可能に設けられていることを特徴としてもよい。
【００１７】
また、本発明に係る介護用ベッドは、要介護者を吊り上げ移動させるための要介護者吊り上げ移動装置を備え、該要介護者吊り上げ移動装置は、前記ベッド枠体に固定される支柱と、支柱に左右側方及び上下に回転可能に支持されるアームと、該アームの先端に取り付けられる吊り上げ具と、該吊り上げ具に着脱自在に取り付けられ該吊り上げ具を介して前記アームに吊り上げられる要介護者保持具とを備えていることを特徴としてもよい。
【発明の効果】
【００１８】
本発明によれば、要介護者が不安感を抱くことなく安全に要介護者の寝返りや排便動作を助けることができる。また、要介護者が容易且つ楽な姿勢で排便を行うことができると共に、介護者が腸内洗浄作業を容易に行うことができ、腸内洗浄作業時にマット等を汚すおそれがない等、種々の優れた効果を得ることができる。
【図面の簡単な説明】
【００１９】
【図１】本発明の実施の形態に係る介護用ベッドを示す平面図である。
【図２】本発明の実施の形態に係る介護用ベッドを示す側面図である。
【図３】本発明の実施の形態に係る介護用ベッドを示す斜視図である。
【図４】（ａ）は本発明の実施の形態に係る介護用ベッドの寝返り装置を示す斜視図、（ｂ）は本発明の実施の形態に係る介護用ベッドの寝返り装置を示す断面図である。
【図５】本発明の実施の形態に係る介護用ベッドの便器装置を示す平面図である。
【図６】本発明の実施の形態に係る介護用ベッドの便器装置を示す断面図である。
【図７】本発明の実施の形態に係る介護用ベッドの要介護者吊り上げ移動装置を示す背面図である。
【図８】本発明の実施の形態に係る介護用ベッドの要介護者吊り上げ移動装置を示す側面図である。
【図９】本発明の実施の形態に係る介護用ベッドの動作を示す斜視図である。
【図１０】本発明の実施の形態に係る介護用ベッドの動作を示す斜視図である。
【図１１】本発明の実施の形態に係る介護用ベッドの動作を示す斜視図である。
【図１２】本発明の実施の形態に係る介護用ベッドの動作を示す斜視図である。
【図１３】本発明の実施の形態に係る介護用ベッドの動作を示す斜視図である。
【図１４】本発明の実施の形態に係る介護用ベッドの動作を示す斜視図である。
【図１５】本発明の実施の形態に係る介護用ベッドの動作を示す斜視図である。
【発明を実施するための形態】
【００２０】
以下、図面を参照しつつ、本発明の実施の形態について説明する。
【００２１】
図１及び図２に示されているように、本発明の実施の形態に係る介護用ベッド１は、マット体２と、マット体２を支持するベッド枠体３と、マット体２の下方に設けられる便器装置４と、ベッド枠体３の頭部側に取り付けられる要介護者吊り上げ移動装置５と、を備えて構成されている。
【００２２】
マット体２は、介護用ベッド１に横たわった要介護者Ｐの臀部を支持する臀受け部６と、前記臀部より上半身部分を支持する上半身受け部７と、前記臀部より下半身部分を支持する下半身受け部８と、に分割されている。
【００２３】
臀受け部６は、中央部分９と、左右外側部分１０，１１とに分割され、中央部分９はマット体２の下方に収納可能なように構成されている。
【００２４】
上半身受け部７は、介護用ベッド１に横たわった要介護者Ｐの頭部を支持する頭受け部１２と、要介護者Ｐの胴部を支持する胴受け部１３と、に分割されて構成され、頭受け部１２は取り外し可能に設けられている。上半身受け部７には、その足元側部分を支点に上半身部分７を起立する方向に回動させる背上げ装置（図示せず）と、上半身受け部７の左側部分と右側部分のいずれか一方側を上昇させて上半身受け部７を凹状に湾曲させる寝返り装置１５（図４参照）と、が設けられている。
【００２５】
下半身受け部８は、介護用ベッド１に横たわった要介護者Ｐの左右の大腿部をそれぞれ支持する左右の大腿受け部１６，１７と、要介護者Ｐの下腿部を支持する下腿受け部１４と、に分割されて構成されている。左右の大腿受け部１６，１７はお互いに左右に離間又は近接する方向にスライド可能及び又は上昇可能なように構成されている。
【００２６】
大腿受け部１６，１７の左右両側には、それぞれ隣接して第１の布団持上げ部１８，１９が配置され、第１の布団持上げ部１８，１９は各左右外側部分を支点に左右外側に回転可能に設けられている。
【００２７】
下腿受け部１５は、左右外側部分２０，２１と中央部分２２とに分割され、中央部分２２は取り外し可能に形成されている。
【００２８】
下半身受け部８の左右外周部及び足元側外周部には、第２の布団持上げ部２４が収容されており、第２の布団持上げ部２４は下半身受け部８の左右外周部の頭部側支点を中心に頭部側上方に回動可能に設けられている。
【００２９】
図３から良く分かるように、マット体２の左右外側にはマット体２より高い隆起部２５，２６がそれぞれ形成されており、少なくとも左右いずれか一方（本実施の形態では右側）の隆起部２６は着脱可能に設けられている。
【００３０】
図４（ａ）及び（ｂ）に示されているように、寝返り装置１５は、上半身受け部の左右両側部分に沿ってそれぞれ設けられる枠体７２と、枠体７２に対して頭部側及び足元側にスライド可能に設けられる可動部材７３と、枠体７２に対して下方から当接可能に設けられる押上げ部材７４と、を備えて構成されている。
【００３１】
枠体７２は、下方及び両端部が開放されたコの字状断面を有して頭部側から足元側に延出するように形成され、天板７５と、天板７５の左右縁部から垂下する左右一対の側板７６，７７と、を備えている。そして、左右の枠体７２は、可撓性を有する複数のベルト部材９２（図１４参照）により連結されている。
【００３２】
天板７５の下面には、一方の側板７６との間に所定の隙間を形成するように第１及び第２ガイド板７８，７９がそれぞれ垂下され、第２ガイド板７９には長手方向に長溝８０が形成されている。
【００３３】
一方の側板７６には、その内面下端部に直交する方向に２個のストッパー板８１がそれぞれ突設されている。他方の側板７７の内面中央部には、中央部にハの字状にズレ止め部８２が二個一対で突設されている。また、他方の側板７７の長手方向端部の内面には、長手方向に溝部８３を有する受け部８４が突設されている。
【００３４】
可動部材７３は、細長い平板形状を有し、枠体７２の一方の側板７６と第１及び第２ガイド板７８，７９との間の前記隙間に挿入され、ストッパー板８１により落下しないようになっている。可動部材７３の一端部内面には、係合ピン８５及び押し板８６が突設されている。係合ピン８５は細長円柱形状を有し、他方の側板７７に向かって片持ち支持されている。押し板８６は、鉛直姿勢を成し、係合ピン８５より他端部側に配置され、他方の側板７７に向かって片持ち支持されている。
【００３５】
図４（ａ）に示されているように、係合ピン８５と押し板８６の間には、例えばＬ字形状の係合部材９８が配置され、係合部材９８はモータ９９等の駆動源により可動部材７３の長手方向に沿ってスライド可能に設けられている。
【００３６】
可動部材７３の他端部内面には、細長円柱形状を有する第１ロックピン８７が突設されている。この第１ロックピン８７は、他方の側板７７に向かって片持ち支持され、その先端部が他方の側板７７の受け部８４の溝部８３に係合可能に形成されている。
【００３７】
可動部材７３の内側には、押し板８６と第２ロックピン８７との間に、一端部側から順に、第１〜第３の３個の係合片８８，８９，９０が所定間隔で突設されており、各係合片８８，８９，９０は可動部材７３の長手方向に沿って細長い形状を有している。第２係合片８９と第２ガイド板７９との間には、第２ロックピン９１が突設されている。この第２ロックピン９１は、他方の側板７７に向かって片持ち支持され、その先端部が第２ガイド板７９の長溝８０に係合可能に形成されている。
【００３８】
図４（ｂ）に示されているように、押上げ部材７４は、可動部材７３の第１〜第３係合片８８，８９，９０に対応した位置においてそれぞれ上方に突出する第１〜第３係合凸部（第２係合凸部９３のみ図示）を備えている。前記第１〜第３係合凸部は、その上端部に横溝９５を有しており、この横溝９５に第１〜第３係合片８８，８９，９０が係脱可能となっている。また、中央の第２係合凸部９３は２個一対のズレ止め部８２の間に配設されている。
【００３９】
再び、図２を参照すると、ベッド枠体３は、内部に空間２７を有するように金属製角パイプを外周に配設することにより形成され、ベッド枠体３の足元側及び少なくとも左右いずれか一方側は開放可能に形成されている。ベッド枠体３の頭部側にはヘッドボード２８が取り付けられ、ベッド枠体３の四隅の下部にはそれぞれ脚部２９が高さ調整可能なように取り付けられている。そして、ベッド枠体３の空間２７には、頭部側に洗面装置３０が配置され、足元側に便器装置４が配置されている。また、ベッド枠体３の空間２７には、特に図示しないが、背上げ装置駆動機構、寝返り装置駆動機構、臀受け部収納機構、臀受け部の左右外側部分駆動機構、大腿受け部駆動機構などが配設されている。なお、これらの各機構は、例えばモータやアクチュエータ等の電動式或いは空圧式等の公知の駆動源や、リンク機構や歯車、ベルト等の公知の伝達機構により実現可能であるため、ここでの詳細な説明を省略する。
【００４０】
洗面装置３０は、頭受け部１２の下方に配置される洗面器３１と、洗面器３１の下方に配置されるバケツ３２とを備えて構成されている。そして、洗面器３１は、マット体２の頭受け部１２を取り外すことにより使用できるようになっている。
【００４１】
図５及び図６に良く示されているように、便器装置４は、上方に開口を有するポリエチレン製でバケツ状の容器３３と、舟形状の内容器７１を介して容器３３内に収容されて上方を開閉可能なビニル袋３４と、容器３３の足元側において昇降可能で上端に吸引口４０を有する尿吸引器３５と、尿吸引器３５を昇降させる尿吸引器昇降装置３６と、を備えて構成されている。そして、便器装置４は、臀受け部６の下方から足元側に平行に延出する２本のレール３７に沿ってスライド可能に設けられており、このレール３７はベッド枠体３の足元側から外側に引き出し可能となっている（図２参照）。
【００４２】
容器３３の上端には、足元側と頭部側の方向にスライド可能なように横架材３８が設けられ、この横架材３８の上面には左右２か所に頭部側フック３９がそれぞれ設けられている。また、容器３３の上方には、左右に分割された台座（図示省略）が左右に離間又は近接する方向にスライド可能に設けられており、要介護者Ｐの排泄時には、この台座により要介護者Ｐの臀部を支持できるようになっている。
【００４３】
尿吸引器３５は、蛇腹ホース製で、上端の吸引口４０が頭部側に向かって水平姿勢を成すように角パイプ状の支持部材４１によって支持されている。そして、尿吸引器３５は、この支持部材４１に支持された状態で尿吸引器昇降装置３６により平行なガイドレール３２に沿って容器３３の上方に上昇し、尿吸引器３５の下端の開口４２が容器３３内に収容されたビニル袋３４上で開放されるようになっている。なお、尿吸引器３５の下端の開口４２は、別体のバキューム式装置（図示省略）に接続したり、或いは、専用の容器（図示省略）に流すようにしたりしてもよい。
【００４４】
また、支持部材４１の頭部側には左右２か所に足元側フック４３がそれぞれ設けられており、頭部側フック３９と足元側フック４３とにビニル袋３４の把手４４を引っ掛けることにより、ビニル袋３４が容器３３内に収容されるようになっている。ビニル袋３４としては、スーパーやコンビニ等で買い物をした時に提供されるビニル袋を使用することができ、ビニル袋３４の内部には吸水性の良い使い捨て用便処理材４５が設けられている。
【００４５】
容器３３の底部には底板４６が設けられ、この底板４６の頭部側端部４６ａにはローラ４７が枢設されており、底板４６の足元側端部（図示省略）は支持部材４１に枢設されている。これにより、支持部材４１に支持された尿吸引器３５の上昇動作に伴って、底板４６の前記足元側部端部が上昇すると共に頭部側端部４６ａが足元側に移動することにより、底板４６が傾斜姿勢を成すように構成されている。
【００４６】
図７及び図８に良く示されているように、要介護者吊り上げ移動装置５は、鉛直姿勢で下端部がベッド枠体３の頭部側角部に立設される伸縮自在の支柱４８と、支柱４８の上端部に片持ち支持され、左右側方及び上下に回転可能なアーム４９と、アーム４９の先端に取り付けられる吊り上げ具５０と、図示しない駆動装置の駆動により吊り上げ具５０を介してアーム４９に吊り上げられる要介護者保持具５１とを備えて構成されている。
【００４７】
吊り上げ具５０は、鉛直姿勢で平行に設けられた鉛直フレーム５２と、各鉛直フレーム５２の上端部とアーム４９との間に掛け渡された吊りロープ５３と、各鉛直フレーム５２の間に介装された背板５４と、各鉛直フレーム５２の下端に接続されたスプリング５５と、を備えて構成されており、背板４９の表面はスポンジ等のクッション材（図示省略）により覆われている。
【００４８】
要介護者保持具５１は、要介護者Ｐの正面側に配置されるぬいぐるみ５６と、ぬいぐるみ５６の両肩部分からそれぞれ前後方向に水平に延出して要介護者Ｐの脇の下を支持する腕部５７と、ぬいぐるみ５６の左右下端部からそれぞれ後方に水平に延出する脚部５８，５９と、スプリング５５の下端部に連結されて要介護者Ｐの大腿部を支持する大腿受け部６０と、を備えている。
【００４９】
腕部５７は、前後方向に平行に延出する筒状の左右外フレーム６１，６２と、左右外フレーム６１，６２の内部に前後方向にスライド可能に貫挿される平面視コの字状の内フレーム６３と、を有し、ぬいぐるみ５６の両肩部を支点に鉛直方向（図８の矢印方向）に９０度回転可能に設けられている。また、腕部５７の内フレーム６３は、左右外フレーム６１，６２との間に介装されたスプリング（図示省略）を介して左右外フレーム６１，６２に対しての前方に付勢されており、左右後端部にはそれぞれ結合部材６４，６５が取り付けられ、この結合部材６４，６５は背板５４の左右両端に掛脱自在に設けられている。これにより、内フレーム６３の前端部を前記スプリングの付勢力に抗して後方に押圧して左右外フレーム６１，６２に対して後方にスライドさせると、結合部材６４，６５が左右外フレーム６１，６２の後端から突出し、結合部材６４，６５が背板５４の左右両端に掛止することにより腕受け部５７が吊り上げ具５０に固定されるようになっている。さらに、腕部５７は、ダイヤル式の操作部（図示省略）を左右に回転させることにより前フレーム６３が左右に伸縮するように形成されており、吊り上げる要介護者Ｐの肩幅に合わせて左右方向の幅を調整できるようになっている。
【００５０】
大腿受け部６０は、円筒形状のスポンジ材６８と、スポンジ材６８に挿通されて両端部にそれぞれ連結具（図示省略）が取り付けられた帯状のベルト７０とを備えており、各連結具はスプリング５５の下端部に着脱可能となっている。
【００５１】
左右の脚部５８，５９の後端部にはそれぞれフック部６６，６７が取り付けられており、このフック部６６，６７はベルト７０に掛止可能となっている。
【００５２】
次に、図面を参照しつつ、上記した構成を備えた介護用ベッド１の動作について説明する。
【００５３】
先ず、要介護者Ｐが排泄する時の介護用ベッド１の動作について説明する。リモートコントローラ（図示省略）から排泄用の操作釦を選択すると、まず、図９に示すように、左右の布団持上げ部１８，１９が上昇すると共に左右外側に回転する。これにより、要介護者Ｐの膝が当たることによる布団のズレを防止することができる。また、この時、左右の大腿受け部１６，１７が１０ｃｍ上昇し、便器装置４がレール３７に沿って中央方向に移動し、臀受け部６の中央部分９が１０ｃｍ上昇する。
【００５４】
次いで、図１０に示すように、臀受け部６の左右外側部分１０，１１が１０ｃｍ上昇すると共に、左右の大腿受け部１６，１７がそれぞれ頭部側に傾動しながら上昇する。また、この上昇時、左右の大腿受け部１６，１７はお互いに左右に離間する方向にスライドするため、要介護者Ｐの大腿部は持ち上げられながら左右に開脚される。
【００５５】
次いで、図１１に示すように、臀受け部６の中央部分９をベッド枠体３の空間２７に収納し、臀受け部６の中央部分９の下方に開口が形成される。そして、便器装置４がレール３７に沿ってこの開口の下方までスライドし、所定位置にセットされる。この時、要介護者Ｐの大腿部が大腿受け部１６，１７に支持されていると共に、前記開口が小さいので、要介護者Ｐの臀部が該開口から落ちることはない。また、この時、臀受け部６の中央部分９及び左右外側部分１０，１１をそれぞれ１０ｃｍ降下させ、フラットな状態にすると共に、左右の大腿受け部１６，１７を３ｃｍまで降下させる。
【００５６】
次いで、前記背上げ装置が足元側部分を支点に上半身受け部７を上方に回転させ、要介護者Ｐの上半身部分が起こされる。この時、図４（ａ）に示すように、モータ９９の駆動により係合部材９８及び係合ピン８５を介して可動部材７３が一方向（図示右方向）に引っ張られ、第１ロックピン８７が受け部８４の溝部８３に係合する。これにより、可動部材７３は枠体７２と一体化されると共に、可動部材７３の第１〜第３係合片８８，８９，９０が押上げ部材７４の横溝９５に係合しない状態となるため、前記背上げ装置が寝返り装置１５から切り離されて、前記背上げ装置による上半身受け部７の回転動作が可能となる。
【００５７】
また、この時、前記背上げ装置は、上半身受け部７を回動させる際に、上半身受け部７の左右両側部分を上昇させて上半身受け部７を凹状に湾曲させる。これにより、筋力の衰えた要介護者Ｐが背上げ動作中に上半身受け部７からズレ落ちるのを防止することができるため、安全性を高めると共に介護者の負担を軽減することができる。
【００５８】
その後、要介護者Ｐの臀部を便器装置４の台座上に載せ、尿吸引器昇降装置３６が尿吸引器３５を容器３３の上方に上昇させ、要介護者Ｐが男性の場合には尿吸引器３５の吸引孔４０に男性の性器を挿入させた上で、要介護者Ｐに排泄姿勢を取らせ、ビニル袋３４内に排泄を行わせる。
【００５９】
この場合、要介護者Ｐは左右の大腿受け部１６，１７により大腿部を持ち上げられているため、無理のない楽な排泄時に力の入り易い姿勢を取ることができる。また、排泄時、要介護者Ｐが男性の場合には尿が尿吸引器３５を通ってビニル袋３４内に回収される一方、要介護者Ｐが女性の場合にはビニル袋３４の足元側部分３４ａ（図５参照）によって尿のビニル袋３４の外部への飛散が防止されると共に、容器３３の底板４６が尿吸引器３５の上昇動作に伴って傾斜姿勢を成す（図６参照）ことによりビニル袋３４に溜まった排泄物を１箇所に簡単に集めることができる。したがって、排泄物の回収作業を容易に行うことができ、介護者の労力の軽減を図ることができる。
【００６０】
要介護者Ｐによる排泄の終了後は、尿吸引器昇降装置３６により尿吸引器３５を降下させると共に、横架材３８を容器３３の上端に沿って足元側の方向にスライドさせて、ビニル袋３４の上方の開口を閉塞させた上で、便器装置４をレール３７に沿ってベッド枠体３の足元側から外側に引き出し、介護者がビニル袋３４の把手４４を各フック３９，４３から取り外し、ビニル袋３４ごと排泄物を所定の場所に廃棄する。
【００６１】
また、要介護者Ｐの腸内洗浄を行う場合には、図１２に示すように、第２の布団持上げ部２４を下半身受け部８の左右外周部の頭部側支点を中心に頭部側上方に回動し、布団を持ち上げることもできる。そして、上記した便器装置４の代わりにレール３７にセットされた容器３３より大容量の容器を備えた便器装置（図示省略）を記空間までスライドしてセットする。
【００６２】
この状態で、要介護者Ｐの臀部を前記便器装置の台座上に載せ、図１３に示すように下腿受け部１５の中央部分２２を取り外すと共にベッド枠体３の足元側を開放することにより形成された空間に配置した椅子（図示せず）に介護者が着座した姿勢で要介護者Ｐの腸内洗浄を行う。このように、介護者は、腸内洗浄時、マッ体２の上に載って無理な姿勢を取る必要がなく、腸内洗浄作業を容易に行うことができると共に、腸内洗浄作業時にマット等を汚すおそれもない。
【００６３】
介護者による腸内洗浄の終了後、前記便器装置をレール３７に沿ってベッド枠体３の足元側から外側に引き出し、介護者がビニル袋をフックから取り外し、所定の場所に廃棄する。
【００６４】
次に、要介護者Ｐを寝返りさせる時の介護用ベッド１の動作について説明する。前記リモートコントローラにより、例えば右側への寝返りモードを選択すると、左側の押上げ部材７４において、モータ９９の駆動により係合部材９８が他方向（図４（ａ）の左方向）に移動し、押し板８６を押圧する。これにより、可動部材７３が前記他方向にスライドし、第１ロックピン９１が第２ガイド板７９の長溝８０に係合する。これにより、可動部材７３は枠体７２と一体化されると共に、図４（ｂ）に示すように可動部材７３の第１〜第３係合片８８，８９，９０が押上げ部材７４の横溝９５に係合した状態となるため、寝返り装置１５による左側の押上げ部材７４の上昇動作が可能となる。この時、押上げ部材７４は内側中央に向かって僅かに傾斜した姿勢（例えば、水平に対して約７０度の傾斜角度）で上昇する。
【００６５】
このように左側の押上げ部材７４が内側中央に向かって傾斜した姿勢で上昇すると、図１４に示すように、左右の枠体７２が可撓性を有する複数のベルト部材９２により連結されているため、上半身受け部１３は左右に湾曲した状態となる。また、この時、臀受け部６の中央部分９は、押上げ部材７４が上昇した側（この場合は左側）の外側部分１０が上方に回転して退避した所にスライドする。これにより、要介護者が不安感を抱くことなく安全に要介護者の寝返りを助けることができる。なお、この中央部分９のスライド動作は手動で行うようにしてもよい。
【００６６】
また、このように要介護者Ｐを寝返りさせる時、図１５に示すように、マット体２の右側隆起部２６を取り外すと共に、ベッド枠体３の右側を開放することにより、介護者の作業性を高め、介護者の負担を軽減することができる。
【００６７】
また、要介護者保持具５１により要介護者を吊り上げて移動させる場合、要介護者Ｐがぬいぐるみ５６に対峙するように要介護者Ｐの上半身部分をぬいぐるみ５６と背板５４との間に入れ、要介護者Ｐの両脇の下に腕部５７の左右フレーム６１，６２をそれぞれ配置すると共に、要介護者Ｐの臀部の下にスポンジ材６８を配置する。そして、この状態で要介護者Ｐを吊り上げると、要介護者Ｐは前傾し、ぬいぐるみを抱きかかえた姿勢となり、要介護者Ｐを所望な位置に安全且つ確実に移動させることができる。また、要介護者Ｐの吊り上げ時、要介護者Ｐの正面にぬいぐるみ５６が接触し、背面に背板５４の表面を覆うクッション材が接触し、臀部にスポンジ材６８が接触すると共に、スプリング５５により要介護者Ｐの座高に合わせて要介護者保持具５１の高さが調整されるため、要介護者Ｐに不快感を与えることはない。
【００６８】
なお、上記した本発明の実施の形態の説明は、本発明に係る介護用ベッドにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６９】
１          介護用ベッド
２          マット体
４          便器装置
５          要介護者吊り上げ移動装置
６          臀受け部
７          上半身受け部
８          下半身受け部
１０        左外側部分
１１        右外側部分
１４        大腿受け部
１５        寝返り装置
１６，１７  大腿受け部
１８，１９  第１布団上げ部
２４        第２布団上げ部
２５，２６  隆起部
４８        支柱
４９        アーム
５０        吊り上げ具
５１        要介護者保持具
７２        枠体
７３        可動部材
７４        押上げ部材
【図１】
2015213544.tif 000003
【図２】
2015213544.tif 000004
【図３】
2015213544.tif 000005
【図４】
2015213544.tif 000006
【図５】
2015213544.tif 000007
【図６】
2015213544.tif 000008
【図７】
2015213544.tif 000009
【図８】
2015213544.tif 000010
【図９】
2015213544.tif 000011
【図１０】
2015213544.tif 000012
【図１１】
2015213544.tif 000013
【図１２】
2015213544.tif 000014
【図１３】
2015213544.tif 000015
【図１４】
2015213544.tif 000016
【図１５】
2015213544.tif 000017